(57)【要約】【課題】夜間照明を用意することなく、消火器具等の設置場所を容易に認識することが可能な標識の表示装置を提供すること。【解決手段】本願の開示する表示装置１は、磁気発電機１２−３より得られる電気信号を入力として電気エネルギーを蓄積し、当該電気エネルギーの充放電を制御する制御部１２と、制御部１２の充放電制御によって発光するシート光源やＬＥＤからなる発光部１３とを備え、所望の形状を表示するためのフィルムを樹脂素材の表面に貼り付けることで標識を形成する。【選択図】図１
2017173775.tif 000002
【特許請求の範囲】
【請求項１】
磁気発電機１２−３より得られる電気信号を入力として電気エネルギーを蓄積し、当該電気エネルギーの充放電を制御する制御手段と、前記制御手段の充放電制御によって発光するＬＥＤやシート光源からなる発光手段と、を備え、所望の形状を表示するためのフィルムを樹脂素材の表面に貼り付けることで標識を形成することを特徴とする表示装置。
【請求項２】
前記制御手段は、電気信号を入力として電気エネルギーを蓄積する蓄電手段と、前記シート光源を特定期間にわたって発光させるための充放電制御を行うインバータ手段と、を備えることを特徴とする請求項１に記載の表示装置。
【請求項３】
前記光源をＬＥＤやＥＬシート光源とすることを特徴とする請求項１、２または３に記載の表示装置。
【請求項４】
前記光源を利用し、面光源技術を採用した導光板とすることを特徴とする請求項１、２に記載の表示装置。
【発明の詳細な説明】
【技術分野】
【０００１】  本発明は、消防・防災用設備等の標識の表示装置に関する。
【背景技術】
【０００２】  従来から、一定の防火対象物には消防法により消火器の設置が義務付けられており、設置上の注意として、「消火器」の標識を見やすい位置に設ける必要がある。【０００３】  また、上記消火器に限らず、その他の消火器具を設置した箇所についても、たとえば水バケツにあっては「消火バケツ」、水槽にあっては「消火水槽」、乾燥砂にあっては「消火砂」、膨張ひる石又は膨張真珠岩にあっては「消火ひる石」、と表示した標識を見やすい位置に設ける必要がある。
【先行技術文献】
【非特許文献】
【０００４】
【非特許文献１】消火器読本  社団法人  日本消火器工業会
【非特許文献２】消防法施行規則第９条第４号
【発明の概要】
【発明が解決しようとする課題】
【０００５】  しかしながら、消火器具等の設置場所には、夜間でも器具および標識が見やすいよう、周辺に、照明を用意しておく必要があつた。また、消火器具等の設置場所に照明を用意する場合には、電気代や、蛍光灯、電球等の交換にかかる保守費用が発生することとなり、さらには、停電（災害による停電を含む）により照明が点灯しない場合の対応についても検討する必要があつた。【０００６】  本発明は、上記に鑑みてなされたものであつて、照明を用意することなく、消火器具等の設置場所を容易に認識することが可能な標識の表示装置を提供することを目的とする。
【課題を解決するための手段】
【０００７】  上述した課題を解決し、目的を達成するために、本願の開示する表示装置は、磁力発電装置と、磁力発電装置より得られる電気信号を入力として電気エネルギーを蓄積し、当該電気エネルギーの充放電を制御する制御手段と、制御手段の充放電制御によって発光するＬＥＤ発光体を装備し、標識を形成することを特徴とする、あるいは、シート光源からなる発光手段等を備え、所望の形状を表示するためのフィルムをパネルの表面に貼り付けることで標識を形成することを特徴とする。
【発明の効果】
【０００８】  本願の開示する表示装置によれば、照明を用意することなく、消火器具等の設置場所を容易に認識することができる、という効果を奏する。
【図面の簡単な説明】
【０００９】
【図１】図１は、表示装置のハードウェア構成の一例を示す図である。
【図２】図２は、表示装置の一例を示すイメージ図である。
【発明を実施するための形態】
【００１０】  以下に、本願の開示する標識の表示装置の実施例を図面に基づいて詳細に説明する。なお、この実施例によりこの発明が限定されるものではない。
【実施例】
【００１１】  図１は、本実施例における標識の表示装置のハードウェア構成の一例を示す図である。図１において、表示装置１は、永久磁石とコイルを使用し、磁気力を電気信号に変換する磁気発電機１２−３と、電気信号を入力として電気エネルギーを蓄積する蓄電部１２−１およびＬＥＤ（ｌｉｇｈｔ  ｅｍｉｔｔｉｎｇ  ｄｉｏｄｅ）やＥＬ（ｅｌｅｃｔｒｏ−ｌｕｍｉｎｅｓｃｅｎｃｅ）シート等の光源を発光させるための制御を行うインバータ部１２−４で構成される制御部１２と、所望の形状にカット可能フィルムからなる発光部１３と、を備える。【００１２】  本実施例において、磁気発電機１２−３は、補助モーター１２−２の回転力によって永久磁石が回転し、磁気発電機内に装備されたコイルによって電気信号を発生させる。なお、本実施例の磁気発電機１２−３は一例であり、たとえば、磁気増幅装置発電機であってもよい。【００１３】  制御部１２において、蓄電部１２−１は、磁気発電機１２−３に接続され、たとえば、特許５３９４９８７号に記載された電気エネルギー蓄積装置の技術を用いて、電気エネルギーを蓄積する。なお、蓄電部１２−１は、この電気エネルギー蓄積装置に限らず、磁気発電機１２−３から出力される電気信号を入力として電気エネルギーを蓄積可能な構成であればよく、他の装置に代替可能である。
また、磁気発電機１２−３の発電する電力は、蓄電部１２−１が消費する電力に限りなく近いため、蓄電部１２−１の消費を抑え、長期間にわたって使用可能となる。【００１４】  また、制御部１２において、インバータ部１２−４は、蓄電部１２−１の充放電（ＯＮ／ＯＦＦ）を制御することによって、たとえば、標識の文字列を形成する発光部１３を発光させる。磁気発電機１２−３は、発光部に供給する電力と、蓄電池を充電する電力を供給し、発光部１３の発光により、夜間等、消火器具等の設置場所がわかりづらいような状況が発生する特定の時間帯であっても、消火器具等の設置場所を容易に認識することが可能となる。【００１５】  図２は、本実施例の表示装置１の一例であり、具体的には、消火器の標識のイメージ図である。本実施例においては、図示のように、所望の形状（「消火器」の文字列の形状）にカットされたフィルム等からなる発光部１３を、樹脂素材の表面に貼り付けることで、消火器の標識を形成している。図２の発光部１３は、たとえば、磁気発電機１２−３を介して、インバータ部１２−２に接続されている（図１参照）。【００１６】  なお、本実施例の表示装置１の構成は、消火器、その他の消火器具（消火バケツ，消火砂，消火水槽，消火ひる石等）の設置場所を示す標識に限らず、防災器具設置標識，避難器具設置標識，誘導標識，津波避難場所標識，津波避難ビル標識，広域避難場所標識，災害用器具設置場所標識や、歩行困難者などの避難安全対策としての一時避難エリア標識，一時避難エリア誘導標識，避難誘導用エレベーター標識や、道路標識および工事標識等、すべての標識に対応可能である。【００１７】  また、本実施例の発光部１３の具体例であるＬＥＤやＥＬシート光源等は、柔軟性が高く、折り曲げての設置や、寸法に合せてのカットおよび設置が可能であり建物の丸柱・アール壁などにも容易に接着可能である。また、本実施例の発光部１３は、上記ＬＥＤやＥＬシート以外に、シート状の光源として、たとえば、導光板を利用した面光源技術を採用したものであってもよい。また、本実施例の発光部１３は、表示できる形状が文字や文字列に限らず、たとえば、ピクトグラム等の図形にも対応可能である。このようなピクトグラムを用いることにより、たとえば、日本語を理解できない外国人観光客に対しても消火器具等の設置場所を容易に認識させることが可能である。【００１８】  上述してきたように、本実施例の表示装置１は、磁気発電機１２−３より得られる電気信号を入力として電気エネルギーを蓄積し、電気エネルギーの充放電を制御する制御部１２と、制御部１２の充放電制御によって発光する発光部１３とを有する構成とし、文字列やピクトグラムの形状にカットされフィルムである発光部１３を樹脂素材の表面に貼り付けることで標識を形成することとした。【００１９】  このような構成をとることにより、たとえば、消火器具等の設置場所に商用電源を利用した照明を用意しておかなくても標識自体が自律的に発光可能となり、夜間や、災害発生による停電時においても、容易に消火器具等の設置場所を認識することが可能となる。
【符号の説明】
【００２０】１        表示装置
１２−３  磁気発電機
１２      制御部
１２−１  蓄電部
１２−４  インバータ部
１３      発光部
【図１】
2017173775.tif 000003
【図２】
2017173775.tif 000004